(57)【要約】【課題】工具ホルダーを作業者のベルトに対して確実に静止させておくことができる工具ホルダー用ループを提供する。【解決手段】工具ホルダー用ループ１００は作業者が腰に巻いているベルト１１０を通す開口部１２０を形成しており、開口部１２０の内面の上端には、ベルト１１０が工具ホルダー用ループ１００に対してスリップすることを防止する第一の滑り止め部材１５０が配置されている。【選択図】図２
2008200760.tif 000002
【特許請求の範囲】
【請求項１】
作業者が腰に巻いているベルトを通す開口部を形成しており、前記ベルトを前記開口部に通した状態において工具ホルダーを支持する工具ホルダー用ループであって、
前側部材と、第一の滑り止め部材と、ループ形成部材と、前記前側部材と前記ループ形成部材とを取り外し可能に連結する連結部材と、からなり、
前記第一の滑り止め部材は前記前側部材と前記ループ形成部材との間に挟まれた状態で固定されており、
前記ループ形成部材は前記前側部材の前面において前記連結部材を介して前記前側部材と連結されて前記開口部を形成するものであることを特徴とする工具ホルダー用ループ。
【請求項２】
作業者が腰に巻いているベルトを通す開口部を形成しており、前記ベルトを前記開口部に通した状態において工具ホルダーを支持する工具ホルダー用ループであって、
前記開口部の内面の上端及び下端の少なくとも何れか一方には、前記ベルトが前記工具ホルダー用ループに対してスリップすることを防止する第一の滑り止め部材が配置されていることを特徴とする工具ホルダー用ループ。
【請求項３】
前記開口部の内面の側面には、前記ベルトが前記工具ホルダー用ループに対してスリップすることを防止する第二の滑り止め部材が配置されていることを特徴とする請求項１または２に記載の工具ホルダー用ループ。
【請求項４】
前記工具ホルダー用ループは一枚のシートをループ状に巻いたものから構成されており、前記シートの一端と前記シートの他端とは着脱自在の連結部材を介して止められていることを特徴とする請求項２または３に記載の工具ホルダー用ループ。
【請求項５】
前記第一の滑り止め部材は、前記開口部と直交し、かつ、前記ベルトが延びる方向と直交する平面内において、逆Ｖ字型断面を有していることを特徴とする請求項１乃至４の何れか一項に記載の工具ホルダー用ループ。
【請求項６】
前記第一の滑り止め部材は、前記開口部と直交し、かつ、前記ベルトが延びる方向と平行な平面内において、鋸歯状断面を有していることを特徴とする請求項１乃至４の何れか一項に記載の工具ホルダー用ループ。
【発明の詳細な説明】
【技術分野】
【０００１】
本発明は、作業者が腰に巻いているベルトに工具ホルダーを取り付けるための工具ホルダー用ループに関する。
【背景技術】
【０００２】
建築工事（特に、高所において行う外装工事）においては、作業者の両手の自由を確保するため、作業者が腰に巻いているベルトに袋状の工具ホルダーを取り付け、必要な工具をこの工具ホルダーに収納することが行われている。
【０００３】
例えば、特開２０００−３００３２８号公報の図３（ｃ）に示されているように、通常、工具ホルダーは工具ホルダー用ループを介してベルトに取り付けられている。工具ホルダー用ループは、ベルトを通すことができるように、ループ状の開口部を形成しており、この開口部にベルトを通した後、工具ホルダー用ループの表面に設けられている取り付け具を介して工具ホルダー用ループに工具ホルダーが取り付けられる。
【特許文献１】特開２０００−３００３２８号公報（図３（ｃ））
【発明の開示】
【発明が解決しようとする課題】
【０００４】
しかしながら、上記公報に記載されている従来の工具ホルダー用ループには、次のような問題点があった。
【０００５】
工具ホルダー用が動くと、作業者の作業の障害になる。このため、工具ホルダー用はベルトに対してほぼ静止していることが望まれる。
【０００６】
しかしながら、上記公報に記載されている従来の工具ホルダー用ループの内面とベルトの表面との間の摩擦力が小さいため、作業者が大きな動きを行うと、それに伴って、工具ホルダーも動き出してしまい、作業者が作業を行ううえで大きな障害となっていた。
【０００７】
本発明は以上のような従来の工具ホルダー用ループにおける問題点に鑑みてなされたものであり、工具ホルダーを作業者のベルトに対して確実に静止させておくことができる工具ホルダー用ループを提供することを目的とする。
【課題を解決するための手段】
【０００８】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【０００９】
上記の目的を達成するため、本発明は、作業者が腰に巻いているベルトを通す開口部（４１０）を形成しており、前記ベルトを前記開口部（４１０）に通した状態において工具ホルダーを支持する工具ホルダー用ループ（４００）であって、前側部材（４０１）と、第一の滑り止め部材（４０２）と、ループ形成部材（４０３）と、前記前側部材（４０１）と前記ループ形成部材（４０３）とを取り外し可能に連結する連結部材（４０４）と、からなり、前記第一の滑り止め部材（４０２）は前記前側部材（４０１）と前記ループ形成部材（４０３）との間に挟まれた状態で固定されており、前記ループ形成部材（４０３）は前記前側部材（４０１）の前面において前記連結部材（４０４）を介して前記前側部材（４０１）と連結されて前記開口部（４１０）を形成するものであることを特徴とする工具ホルダー用ループ（４００）を提供する。
【００１０】
さらに、本発明は、作業者が腰に巻いているベルト（１１０）を通す開口部（１２０）を形成しており、前記ベルト（１１０）を前記開口部（１２０）に通した状態において工具ホルダー（１４０）を支持する工具ホルダー用ループ（１００、２００、３００）であって、前記開口部（１２０）の内面の上端及び下端の少なくとも何れか一方には、前記ベルト（１１０）が前記工具ホルダー用ループ（１００、２００、３００）に対してスリップすることを防止する第一の滑り止め部材（１５０）が配置されていることを特徴とする工具ホルダー用ループを提供する。
【００１１】
前記開口部（１２０）の内面の側面には、前記ベルト（１１０）が前記工具ホルダー用ループ（１００、２００、３００）に対してスリップすることを防止する第二の滑り止め部材（２１０）が配置されていることが好ましい。
【００１２】
前記工具ホルダー用ループ（３００）は一枚のシート（３１０）をループ状に巻いたものから構成することができる。この場合、前記シート（３１０）の一端と前記シート（３１０）の他端とは着脱自在の連結部材（３２０）を介して止められていることが好ましい。
【００１３】
前記第一の滑り止め部材（１５０）は、前記開口部（１２０）と直交し、かつ、前記ベルト（１１０）が延びる方向と直交する平面内において、逆Ｖ字型断面を有していることが好ましい。
【００１４】
前記第一の滑り止め部材（１５０）は、前記開口部（１２０）と直交し、かつ、前記ベルト（１１０）が延びる方向と平行な平面内において、鋸歯状断面（１６０）を有していることが好ましい。
【発明の効果】
【００１５】
本発明に係る工具ホルダー用ループには、開口部内に第一の滑り止め部材が配置されているため、開口部内に通されたベルトと第一の滑り止め部材との間の摩擦力により、ベルトが工具ホルダー用ループに対してスリップすることが防止される。すなわち、ベルトは工具ホルダー用ループに対して確実に保持され、その結果として、工具ホルダーがベルトに対して確実に保持される。このため、作業者が激しく動いても、工具ホルダーはベルトに対して動くことがなく、作業者の作業の障害になることがない。
【発明を実施するための最良の形態】
【００１６】
（第一の実施形態）
図１は本発明の第一の実施形態に係る工具ホルダー用ループ１００の正面図であり、図２は図１のＡ−Ａ線における断面図である。
【００１７】
図２に示すように、本実施形態に係る工具ホルダー用ループ１００は、その縦断面において、作業者が腰に巻いているベルト１１０を通す開口部１２０を形成している。開口部１２０はほぼ長円形をなし、縦断面において、閉じた形状を構成している。
【００１８】
図１に示すように、工具ホルダー用ループ１００の外面には水平方向に並列に２個の凸状体１３０が取り付けられている。ベルト１１０を開口部１２０に通した後、凸状体１３０を介して、工具ホルダー用ループ１００に工具ホルダー１４０（図１においては破線で示す）が取り付けられる。
【００１９】
本実施形態に係る工具ホルダー用ループ１００は布地、軟性樹脂、皮革などの可撓性を有する素材でつくられている。
【００２０】
開口部１２０の内面の上端には第一の滑り止め部材１５０が取り付けられている。
【００２１】
第一の滑り止め部材１５０は、例えば、接着剤、縫合などの手段により、開口部１２０の内面の上端に固定されている。
【００２２】
第一の滑り止め部材１５０は、例えば、ゴムからつくられている。
【００２３】
第一の滑り止め部材１５０は、開口部１２０と直交し、かつ、ベルト１１０が延びる方向と直交する平面（すなわち、図２の面）内において、逆Ｖ字型断面をなしている。
【００２４】
このため、図２に示すように、開口部１２０内にベルト１１０を通すと、ベルト１１０の上縁が第一の滑り止め部材１５０の逆Ｖ字型断面に確実に当接する。
【００２５】
以上のように、本実施形態に係る工具ホルダー用ループ１００には、開口部１２０内に第一の滑り止め部材１５０が配置されているため、開口部１２０内に通されたベルト１１０と第一の滑り止め部材１５０との間の摩擦力により、ベルト１１０が工具ホルダー用ループ１００に対してスリップすることが防止される。すなわち、ベルト１１０は工具ホルダー用ループ１００に対して確実に保持され、その結果として、工具ホルダー１４０がベルト１１０に対して確実に保持される。
【００２６】
このため、作業者が激しく動いても、工具ホルダー１４０はベルト１１０に対して動くことがなく、作業者の作業の障害になることがない。
【００２７】
図３は、第一の滑り止め部材１５０を正面方向（図２のＡ方向）から見た場合の正面図である。
【００２８】
第一の滑り止め部材１５０の逆Ｖ字型断面の頂点は、ベルト１１０が延びる方向と平行な平面内において、直線状に形成してもよく、あるいは、図３に示すように、鋸歯状断面１６０を有するように構成することもできる。
【００２９】
このように、第一の滑り止め部材１５０の逆Ｖ字型断面の頂点が鋸歯状断面１６０を有するように構成することにより、第一の滑り止め部材１５０とベルト１１０との間の摩擦力を一層大きくすることができる。
【００３０】
本実施形態に係る工具ホルダー用ループ１００は上記のような構造に限定されるものではなく、種々の改変が可能である。
【００３１】
例えば、第一の滑り止め部材１５０は開口部１２０内の上端に配置されているが、開口部１２０内の下端に配置することも可能である。あるいは、開口部１２０内の上端及び下端の双方に配置することも可能である。
【００３２】
また、本実施形態に係る工具ホルダー用ループ１００においては、第一の滑り止め部材１５０はゴムでつくられているが、第一の滑り止め部材１５０の素材はゴムに限定されない。ベルト１１０との間に大きな摩擦力を発生させることができる素材であれば、いかなる素材をも使用することができる。
【００３３】
（第二の実施形態）
図４は、本発明の第二の実施形態に係る工具ホルダー用ループ２００の縦断面図である。
【００３４】
本実施形態に係る工具ホルダー用ループ２００は、第一の実施形態に係る工具ホルダー用ループ１００と比較して、第二の滑り止め部材２１０を追加して備えている。この点を除いて、本実施形態に係る工具ホルダー用ループ２００は第一の実施形態に係る工具ホルダー用ループ１００と同一の構造を有している。
【００３５】
図４に示すように、第二の滑り止め部材２１０は開口部１２０の内面の両側面に配置されている。
【００３６】
第二の滑り止め部材２１０は、図４に示すように、シート状である。
【００３７】
第二の滑り止め部材２１０は、例えば、接着剤、縫合により、開口部１２０の内面の両側面に固定されている。
【００３８】
第一の滑り止め部材１５０と同様に、第二の滑り止め部材２１０はゴムでつくられている。
【００３９】
本実施形態に係る工具ホルダー用ループ２００によれば、第二の滑り止め部材２１０がベルト１１０の両面に接触する。すなわち、ベルト１１０はその上縁及び両面において第一の滑り止め部材１５０及び第二の滑り止め部材２１０とそれぞれ接触することになるため、第一の実施形態に係る工具ホルダー用ループ１００よりも大きな摩擦力をベルト１１０との間に発生させることができる。
【００４０】
（第三の実施形態）
図５は、本発明の第三の実施形態に係る工具ホルダー用ループ３００の縦断面図である。
【００４１】
上記の第一及び第二の実施形態に係る工具ホルダー用ループ１００、２００はいずれも断面が閉じたループ形状をなしているのに対して、本実施形態に係る工具ホルダー用ループ３００は、一枚のシート３１０をループ状に巻いたものから構成されており、シート３１０の一端と他端とは着脱自在の連結部材３２０を介して相互に止められている。
【００４２】
本実施形態に係る工具ホルダー用ループ３００によれば、シート３１０の一端を他端から取り外すことにより、ベルト１１０を容易に開口部１２０内に差し込むことができるようになる。
【００４３】
シート３１０の一端と他端とを着脱自在に連結する連結部材３２０の構造は特に限定されない。例えば、ホック、面ファスナーなど任意の部材を用いることができる。
【００４４】
（第四の実施形態）
図６は、本発明の第四の実施形態に係る工具ホルダー用ループ４００の縦断面図である。
【００４５】
図６に示すように、本実施形態に係る工具ホルダー用ループ４００は、前方から見た形状が矩形状である前側部材４０１と、前側部材４０１と同一の長さ（図４の紙面と垂直な方向における長さ）を有する滑り止め部材４０２と、ループ形成部材４０３と、前側部材４０１とループ形成部材４０３とを取り外し可能に連結する連結部材４０４と、から構成されている。
【００４６】
滑り止め部材４０２はその上端が前側部材４０１及びループ形成部材４０３の上端と揃うように前側部材４０１とループ形成部材４０３との間に挟まれた状態でピン４０５を介して固定されている。
【００４７】
ループ形成部材４０３の下端は前側部材４０１の前面において連結部材を４０４介して前側部材４０１の下端と連結されて開口部４０１を形成している。
【００４８】
滑り止め部材４０２は第一の実施形態における第一の滑り止め部材１５０と同様の形状をなしている。
【００４９】
本実施形態に係る工具ホルダー用ループ４００は第一の実施形態に係る工具ホルダー用ループ１００と同様の効果を奏する。
【００５０】
本実施形態に係る工具ホルダー用ループ４００に対しても、第二の実施形態における第二の滑り止め部材２１０を用いることが可能である。
【図面の簡単な説明】
【００５１】
【図１】本発明の第一の実施形態に係る工具ホルダー用ループの正面図である。
【図２】図１のＡ−Ａ線における断面図である。
【図３】第一の滑り止め部材を正面方向（図２のＡ方向）から見た場合の正面図である。
【図４】本発明の第二の実施形態に係る工具ホルダー用ループの縦断面図である。
【図５】本発明の第三の実施形態に係る工具ホルダー用ループの縦断面図である。
【図６】本発明の第四の実施形態に係る工具ホルダー用ループの縦断面図である。
【符号の説明】
【００５２】
１００  第一の実施形態に係る工具ホルダー用ループ
１１０  ベルト
１２０  開口部
１３０  凸状体
１４０  工具ホルダー
１５０  第一の滑り止め部材
１６０  鋸歯状断面
２００  第二の実施形態に係る工具ホルダー用ループ
２１０  第二の滑り止め部材
３００  第三の実施形態に係る工具ホルダー用ループ
３１０  シート
３２０  連結部材
４００  第四の実施形態に係る工具ホルダー用ループ
４０１  前側部材
４０２  第一の滑り止め部材
４０３  ループ形成部材
４０４  連結部材
４０５  ピン
４１０  開口部
【図１】
2008200760.tif 000003
【図２】
2008200760.tif 000004
【図３】
2008200760.tif 000005
【図４】
2008200760.tif 000006
【図５】
2008200760.tif 000007
【図６】
2008200760.tif 000008